(57)【特許請求の範囲】
【請求項１】
食器かごが前扉及び水受け皿とともに、食器洗い機の本体から引き出される引き出し式食器洗い機において、
上記前扉の内側面下部に先端が固着された水受け皿が、上記本体に固定されている洗浄槽の底部より下方位置において片持ち梁状に後方に延設されており、
上記水受け皿は上記本体の底面に支持され、上記洗浄槽の底板と上記本体の底面との間の空間に出し入れ自在であり、
上記前扉の内側面が洗浄槽の前面開口の端面にパッキンを介して当接して洗浄槽を密封するようになっている、引き出し式食器洗い機。
【請求項２】
上記水受け皿の下面と食器洗い機の本体底面との間に左右一対のガイドレールを介在させて、当該ガイドレールによって上記水受け皿を支持させてあり、
上記水受け皿と洗浄槽の排水ポンプの吸い込み側とが可撓ホースで接続され、
上記水受け皿に水位センサーを設け、当該水受け皿に水が溜まったことが水位センサーで検知されたとき、上記排水ポンプで吸引され排出されるようにしている請求項１の引き出し式食器洗い機。
【請求項３】
上記水受け皿の後端を引き込み手段で後方に引きつけ、上記前扉の上部をロック手段で締め付けて、当該前扉の内側面と洗浄槽の前面開口の端面間をパッキンによって密封するようになっている請求項１又は請求項２の引き出し式食器洗い機。
【請求項４】
上記水受け皿の上方において伸縮自在の左右のガイドポールの先端がそれぞれ上記前扉と本体に固着されて前後方向に延設されており、上記ガイドポールに食器かごの左右両側部をそれぞれ載せて支持させている請求項１乃至請求項３のいずれか一項の引き出し式食器洗い機。
【発明の詳細な説明】
【技術分野】
【０００１】
この発明は、ビルトインタイプの引き出し式食器洗い機に関するものであり、殊に、洗浄槽が食器洗い機本体に固定されていて、食器かごが出し入れされるものであって、引き出される部分（可動部）を軽量にしてその出し入れ操作を軽くしたものについて、食器かごから落ちる水滴を水受け皿で受けることによって、居室の床が濡らされることが防止されるようにしたものである。
【背景技術】
【０００２】
ビルトインタイプの食器洗い機には種々の型式のものがある。その一つが前開き式のもの（前扉が前方に倒されて洗浄槽の前面開口が開かれ、前扉の上に食器かごが引き出される型式のもの）であり、他の一つが引き出し式のもの（前扉とともに洗浄槽が引き出される型式のもの）である。後者のものは洗浄槽が引き出されてその上方の開口から食器が出し入れされるものであるから、食器の出し入れが容易でなく、また、洗浄槽に洗浄ポンプなどの種々の機器が付設されていて、洗浄槽自体が構造部材に成っていて比較的重く、これらが出し入れされるものであるから、この出し入れ操作が容易でないという問題もある。
【０００３】
また、洗浄槽が固定式で、食器かごが前方に引き出される型式のものもあり、その一例が、実公昭４８−２５８２６号公報に記載されている（以下これを「従来技術」という）。このものは、食器かごが食器洗い機本体の前方に引き出されるので、食器の食器かごへの出し入れが極めて容易であり、また、洗浄槽が食器洗い機本体に固定されていて出し入れされないので、その分（洗浄槽が出し入れされない分）だけ、出し入れされるもの全体（以下これを「可動部」という）が軽量であり、したがって、その出し入れ操作が容易である。
このものの基本機構は次のようである（図６参照）。
すなわち、本体１は、洗浄室２を形成する洗浄槽３を有している。可動レール４，４は洗浄槽３に取り付けた前後のローラ５，５に案内され、開口部６を介して洗浄室２に対して出退自在である。食器かご７は前記可動レール４上を転動する前後のローラ８，８に脚９を介して支持されている。因みに、従来例では、可動部に対する案内支持機構は可動レール４、ローラ５、ローラ８、脚９によって構成されている。
前扉１０は前記開口部６の開閉を行なう蓋体であり、食器かご７の先端（前扉側）がねじ止めして一体化されている。前扉１０の内側面に前記開口部６に対向して凸部１２があり、前記開口部６の周縁にパッキン１３が設けられている。
【０００４】
洗浄槽３の底部に洗浄ノズル１４があり、洗浄槽３の底の下方に洗浄ポンプ１５がある。洗浄水が洗浄ポンプ１５で加圧され、洗浄ノズル１４から噴射され、この洗浄水によって、食器かご７に入れられて食器１６が洗浄される。
前扉１０が閉じられたとき、当該前扉内側面の上記凸部１２の端面がパッキン１３に対して、その全周につき均等に押圧されて洗浄室２が密閉されるから、例えぱ、前扉１０が前方に倒されて開かれる前開き式のもの（例えば、特開平１０−７５９２７号公報参照）に比べてそのパッキンによるシール性が高く、また、パッキン１３に対する前扉内側面の動きが垂直であるから、パッキンの摩耗損傷が少なく、耐久性が高い。
食器かごが洗浄槽から前方に引き出されるタイプの食器洗い機の公知例として、他に、特開平６−１６９８２１号公報のものがある。
【特許文献１】実公昭４８−２５８２６号公報
【特許文献２】特開平６−１６９８２１号公報
【特許文献３】特開平１０−７５９２７号公報
【発明の開示】
【発明が解決しようとする課題】
【０００５】
〔従来技術の問題点〕
上記従来技術については、食器１６、食器かご７が洗浄室２から引き出されたとき、これらが濡れていると、水滴が床に落ちてこれを濡らすことになる。
また、前扉、食器かご等の可動部に対する案内支持機構が洗浄槽の中に配置されている構造では、これらに洗浄水がかかるので、耐久面等からの問題がある。
【０００６】
〔課題〕
そこで、この発明は、食器かごが前扉とともに引き出される引き出し式食器洗い機について、引き出されたとき、床を濡らさないようにするとともに、前扉、食器かご等からなる可動部に対する案内支持機構に洗浄水がかからないようにして、耐久性を向上させることをその課題とするものである。
【課題を解決するための手段】
【０００７】
上記課題を解決するための手段は、食器かごが前扉及び水受け皿とともに、食器洗い機の本体から引き出される引き出し式食器洗い機について、次の（イ）〜（ハ）によるものである。
（イ）前扉の内側面下部に先端が固着された水受け皿が、本体に固定されている洗浄槽の底部より下方位置において片持ち梁状に後方に延設されており、
（ロ）上記水受け皿は上記本体の底面に支持され、上記洗浄槽の底板と上記本体の底面との間の空間に出し入れ自在であり、
（ハ）前扉の内側面が洗浄槽の前面開口の端面にパッキンを介して当接して洗浄槽を密封するようになっていること。
なお、上記「パッキン」は弾性シール材一般を意味し、その断面形状（例えばＯ型、Ｕ型）の如何を問うものではない。
また、
（ニ）水受け皿の下面と食器洗い機の本体底面との間に左右一対のガイドレールを介在させて、当該ガイドレールによって上記水受け皿を支持させてあり、
（ホ）上記水受け皿と洗浄槽の排水ポンプの吸い込み側とが可撓ホースで接続されており、
（ヘ）上記水受け皿に水位センサーを設け、水受け皿に水が溜まったことが水位センサーで検知されたとき、上記排水ポンプで吸引され排出されるようにしていること。
【０００８】
さらに、
（ト）水受け皿の後端を引き込み手段で後方に引きつけ、前扉の上部をロック手段で締め付けて、前扉の内側面と洗浄槽の前面開口の端面間をパッキンによって密封するようになっていること。
そして、
（チ）水受け皿の上方において伸縮自在の左右のガイドポールの先端がそれぞれ前扉と本体に固着されて前後方向に延設されており、
（リ）上記ガイドポールに食器かごの左右両側部をそれぞれ載せて支持させていることである。
【０００９】
〔作用〕
上記の洗浄槽は、固定水槽であり、その左右両側壁を本体側壁に固定されるものであるから、出し入れ操作される可動部が著しく軽量になる。
水受け皿は、前扉の内側面下部に先端が固着され、洗浄槽の底部より下方位置において片持ち梁状に後方に延設されており、本体の底面に出し入れ自在に支持されているので、洗浄槽の底板と食器洗い機の本体底面との間の空間に対して出入り自在であり、したがって、食器かごを引き出したとき水滴が床に落ちて濡らすことはなく、洗浄槽内の機器と干渉することはない。 
【００１０】
水受け皿の下面と本体底面との間に左右一対のガイドレールを介在させて、これによって上記水受け皿を直接支持させてあるので、前扉を本体底部のガイドレールに支持させることができる。したがって、可動部に対する案内支持機構に洗浄水がかからず、また、強度、剛性が高く、耐久性の問題は生じない。
【００１１】
また、上記構成（ホ）、すなわち、「上記水受け皿と洗浄槽の排水ポンプの吸い込み側とを可撓ホースで接続してあること」によって、水受け皿に溜まった水を、既存の排水ポンプを利用して簡便に排水することができる。
さらに、上記構成（ヘ）、すなわち、「水受け皿に水が溜まったことが水位センサーで検知されると、上記排水ポンプで吸引して排出されること」によって、仮に、多量の水が水受け皿に落ちても、これが水受け皿から溢れて床を濡らすことはない。
また、上記のとおり、水受け皿全体を強度部材として機能させることができ、このことによって、上記構成（ト）、すなわち、「水受け皿の後端を引き込み手段で後方に引きつけ、前扉の上部をロック手段で締め付けて、前扉の内側面と洗浄槽の前面開口の端面間をパッキンによって密封していること」の構成を採用することができる。
【００１２】
また、前扉から後方に延設した水受け皿の下面をガイドレールを介して本体底面に支持させることで、洗浄槽を利用することなしに可動部を出し入れ自在に安定的に支持させることができるので、上記構成（リ）すなわち「伸縮自在のガイドポールに食器かごの左右両側部をそれぞれ載せて支持させた」構成を採用することができ、食器かごを食器洗い機から容易に取り出すことができる。
【発明の効果】
【００１３】
食器かごが前扉とともに出し入れされる引き出し式食器洗い機について、食器かごの下方に水受け皿を配置し、これを前扉の内側面に固定し、洗浄槽の底板（底部）と食器洗い機本体底面との間の空間に対して出し入れさせるように構成したことで、食器かごから落ちる水滴で床を濡らすことが確実に防止される。
また、水受け皿の下面を本体底面にガイドレールによって支持させることができ、また、上記可動部を洗浄槽に支持させるわけではないから、可動部に対する案内支持機構に洗浄水がかからず耐久面で有利である。
【００１４】
また、水受け皿を強化してこれを強度部材とし、かつこれが洗浄槽の下方にあるので、これに引き込み手段を作用させることができ、これにより、前扉と洗浄槽の前面開口の端面とのパッキンによる密封性を向上させることができる。
なお、上記の「水受け皿」は水を受ける皿状部材を意味するが、落下して集められた水が周縁からこぼれ出ない構造になっていれば、外観形状が皿状であることは必ずしも必要でない。
【発明を実施するための最良の形態】
【００１５】
次いで、図面（図１〜図５）を参照して実施例を説明する。
食器洗い機の本体１に洗浄槽３が嵌められ、その側壁を金具で本体側壁に固定されている。
洗浄槽３は、厚さが０．５ｍｍのステンレス鋼板製であり、その外側面に前後のねじ座３ａ，３ａが溶接して固着されており、これにねじ１ａ，１ａを本体１の外からねじ込んで洗浄槽を本体に固定している。
洗浄槽３の下面には従来の引き出し式食器洗い機の場合と同様に、洗浄ポンプ２１がある（この例では、洗浄ポンプが排水ポンプを兼ねていて、正回転するとき洗浄ポンプとして機能し、逆転するとき排水ポンプとして機能する）。
洗浄槽３の下部に洗浄ノズル２２があり、当該洗浄ノズル２２に洗浄ポンプ２１から洗浄水が供給される。
洗浄ポンプが逆転方向に駆動されるときに排水ポンプとして機能し、排水ホース２１ｃへ排水される。
【００１６】
前扉１０の内側面に伸縮自在のガイドポール２０の前端の継ぎ手２０ｊが固定されている。このガイドポール２０はアウターポール２０ａとインナーポール２０ｂが伸縮自在に結合されているものであり、太いアウターポ−ル２０ａが前方に、細いインナーポール２０ｂが後方にあり、インナーポール２０ｂの後端が洗浄槽３の後壁を貫通しており、その後端の継ぎ手２０ｊが本体１の後壁に固定されている。そして、洗浄槽は本体１に固定されている。したがって、洗浄槽３の後壁の孔とこれを貫通しているインナーポールとの間には相対的な動きはないので、この間のシールの高い性能及び耐久性は十分に確保される。
この実施例におけるガイドポール２０はステンレス鋼製の伸縮部材であり、外径１０ｍｍ、内径９ｍｍのアウターポール２０ａと外径７ｍｍ、内径６ｍｍのインナーポール２０ｂとで構成されており、比較的曲げ剛性が高いものが使用されている。
【００１７】
なお、上記ガイドポ−ルは２０は断面丸形の大径パイプ材、小径パイプ材をボールベアリングを介して伸縮自在に組み合わせたものであるが、食器かごによる負荷が大きいときは、ガイドポール２０を断面長方形の角形パイプ材による角形ガイドポールにすればよく、この場合は、コロ等による転がり軸受け式のものにすれば、ガイドポールの摺動抵抗が極力低減される。
なお、アウターポールとインナーポールの前後関係については、アウターポールが後方でインナーポールが前方でもよく、全体の構造設計において好ましいように選択することができる。
【００１８】
前扉１０の内側面に四角な凸部１０ａがあり、この凸部１０ａの外周にパッキン１０ｂが装着されている。この凸部１０ａは洗浄槽の前面開口３ｂに嵌り込む形状になっており、これが上記前面開口３ｂに嵌り込んだとき、パッキン１０ｂが上記前面開口の端面３ｃに当接するようになっている。
前扉１０の内側面の下端に水受け皿３０の先端が固定されている。この水受け皿３０は、板厚０．５ｍｍのステンレス鋼板製であり、左右両端に縦方向のフランジ３０ａ，３０ａを備えていて横方向断面形状が上向きのコの字形状をしており、左右両側の下面にガイドレール２５が固定されている。ガイドレール２５は３段伸縮式のもので、その可動レール２５ａが水受け皿３０の下面に固定され、固定レール２５ｂが本体１の底面１ｃに固定されており、可動レール２５ａと固定レール２５ｂとの間に中間レールが介在している。
【００１９】
前扉１０、水受け皿３０、食器かご７などによる可動部は左右のガイドレール２５，２５、左右のガイドポール２０，２０によって支持される。このとき、全重量の大部分が水受け皿３０を介して左右のガイドレール２５，２５によって支持され、左右のガイドポール２０，２０によってその姿勢が保持される。
そして、ガイドレール２５，２５は、可動レール２５ａ，２５ａと固定レール２５ｂ，２５ｂ及びこれら両レール間に介在する中間レールとによって構成されている。ただし、食器かご７の重量は左右のガイドポール２０，２０にかかるので、ガイドポール２０，２０はこの重量に耐えるだけの剛性を備えていなければならない。
水受け皿３０の底の後端に凹部３０ｂがある。この凹部の深さは１０ｍｍであり容積は２１ｃｍ３である。また、この凹部３０ｂに水位センサーＳが配置されており、水受け皿３０に落ちた水は上記凹部に集まり、凹部３０ｂ内の水位が約５ｍｍに達すると、水位センサーＳがこれを検知する。
そして、上記凹部３０ｂの排水口に可撓ホース４０の一端が接続されており、他端が洗浄ポンプ２１の吸込み側ポートに接続されている。
【００２０】
吸込み側ポート２１ａには常閉型の電磁弁２１ｂがあり、水受け皿３０の凹部３０ｂ内の水位が水位センサーＳで検知されたときに開かれ、水受け皿３０の凹部３０ｂが排水ポンプ２１の吸込み側ポート２１ａ（図２−１（ｂ））に連通される。この電磁弁２１ｂは単純な開閉弁であるから、その形態はどのようなものでもよいが、この例ではリフト弁であり、その弁体のリフト量は３〜５ｍｍである。
水受け皿３０が洗浄槽の下側の空間に押し込まれると上記可撓ホース４０がＵ字状に曲がって折りたたまれ、水受け皿３０が引出されると、まっすぐに伸長される。
【００２１】
食器かご７は前後左右のアーム７ａ，７ａを有し、このアーム７ａは食器かごの左右に突出している。これらのアーム７ａ，７ａを左右のガイドポール２０に載せて支持させる。アーム７ａ，７ａがガイドポール２０に対して着脱自在であるので、食器を入れたままで食器かごを食器洗い機の外に取り出すことができる。
前扉１０を押して、水受け皿３０を押し込むと、食器かご７がガイドポール２０（直接的はアウターポール２０ａ）に支持された状態で洗浄室２の中に案内され、水受け皿３０が洗浄槽３の下面と本体１の底面との間の空間に挿入される。水受け皿３０は、前扉１０から片持ち梁状に後方に延びているので、洗浄槽３及びその付属機器などと干渉することはなく、上記洗浄槽の下方の空間に自由に出入りすることができる。
前扉１０で洗浄槽３の前面開口が閉じられ、前扉はロックレバー１０ｃによるロック装置でロックされて閉蓋状態に固定される。このとき、前扉１０の内側面の凸部１０ａが洗浄槽３の前面開口３ｂの縁部に嵌り込み、パッキン１０ｂが洗浄槽３の前面開口の端面３ｃに押し付けられる。そしてこれによって洗浄槽３の前面開口３ｂが閉じられ、洗浄室２が密閉される。
上記ロック装置を外して前扉１０を手前に引っ張ることで、前扉１０と一緒に食器かご７、水受け皿３０が引出される。
【００２２】
水受け皿３０が左右の縦方向のフランジ３０ａを備えていて、横断面形状が上向きにコ型で高剛性を有しており、強度部材として機能することができる。なお、さらなる補強が必要なら、フランジ３０ａにステーを付加するなどの補強手段を講じればよい。
また、フランジ３０ａの後端部に外向きのロックピン５１を設け、本体１に揺動カム５２を支持軸を中心にして前後方向に揺動可能に設け、ロックピン５１と揺動カム５２とによる引き込み装置５０を構成している。この引き込み装置５０は従来周知のものであり（例えば、特開２００２−１７６４２号公報）、水受け皿３０に対して引き込み力を作用させ、閉蓋状態に保持するロック機能を有する。
【００２３】
この引き込み装置５０は上記揺動カム５２と引っ張りバネとによる反転機構（センターオーバーによる反転機構）によるものであり、ロックピン５１が揺動カム５２に係合して上記引っ張りバネに抗して揺動カム５２を後方に回動させ、その後、センターオーバーして、引っ張りバネによって揺動カムが後方に付勢され、揺動カム５２によってロックピン５１が後方に押される。そして、押し込みストロークの終点に達した後も、ロックピン５１は揺動カム５２によって後方に押されている。引き出し操作時は、その初期においてロックピン５１が揺動カム５２を前方に押し、引っ張りバネに抗して揺動カム５２が前方に回動され、センターオーバーしてからは引っ張りバネによって揺動カム５２が前方に回動され、ロックピン５１が揺動カム５２から外れるものである。この場合の揺動カム５２の揺動範囲は、前後のストッパーで規制される。
以上の引き込み装置５０の機構の概略は図５に示すとおりであり、これは周知のものであるからその詳細についての説明は省略する。
前扉１０の上部にはロックレバー１０ｃがあり、扉を閉めた後に、このロックレバーで強く締め付けるようにしている。
前扉１０はその下部を引き込み装置５０によって水受け皿３０を介して締め付けられ、上部をロックレバー１０ｃによるロック装置で締め付けられるので、前扉１０のパッキン１０ｂ全体が均等に締め付けられる。
【００２４】
以上のように、前扉１０は、押し込みストロークの終点近傍（終点の５０から６０ｍｍ手前）まで人手で押し込まれると、その後は、引き込み装置５０で引き込まれ、この引き込み力によって前扉１０のパッキン１０ｂが洗浄槽３の前面開口の端面に押し付けられ、この状態でロックされるので、パッキン１０ｂに対する締め付け力が緩むことはなく、したがって、前扉１０から水漏れを生じることはない。
なお、この実施例ではパッキン１０ｂにはＯリング、Ｕパッキン、Ｖパッキンなと様々な形態のパッキンを使用することができ、また、ロック装置には、電磁式ロック装置など他の形態のロック装置を使用することもできる。
【図面の簡単な説明】
【００２５】
【図１】は実施例の斜視図
【図２】は実施例の断面図
【図２−１】（ａ）は図２におけるＸ−Ｘ断面図、（ｂ）は図２におけるＡ部拡大図
【図３】は水受け皿とその排水ホースの拡大斜視図
【図４】（ａ）は可動部とガイドレールとの側面図、（ｂ）はガイドレールの斜視図、（ｃ）はガイドレールの分解図
【図５】は食器洗い機の引き込み装置の一部拡大図
【図６】は従来技術の断面図
【符号の説明】
【００２６】
１  ：食器洗い機の本体
１ｃ：本体１の底面
２  ：洗浄室
３  ：洗浄槽
３ｂ：洗浄槽の前面開口
３ｃ：洗浄槽の前面開口の端面
７  ：食器かご
１０：前扉
１０ａ：凸部
１０ｂ：パッキン
１０ｃ：ロックレバー
２０：ガイドポール
２０ａ：アウターポール
２０ｂ：インナーポール
２０ｊ：継ぎ手
２１：洗浄・排水ポンプ
２１ａ：吸込み側ポート
２１ｂ：電磁弁
２１ｃ：排水ホース
２２：洗浄ノズル
２５：ガイドレール
２５ａ：可動レール
２５ｂ：固定レール
３０：水受け皿
３０ａ：縦方向フランジ
３０ｂ：水受け皿３０の底の後端に設けられた凹部
４０：可撓ホース
５０：引き込み装置
５１：ロックピン
５２：揺動カム
Ｓ  ：水位センサー
【図１】
0004761578.tif 000002
【図２】
0004761578.tif 000003
【図２−１】
0004761578.tif 000004
【図３】
0004761578.tif 000005
【図４】
0004761578.tif 000006
【図５】
0004761578.tif 000007
【図６】
0004761578.tif 000008